(57)【要約】      （修正有）【課題】組立式のペンライト用のＬＥＤランプ付ソケットを提供すること。【解決手段】ペンライト本体１の前部内周傾斜面１ａの形状に合わせて、略円錐台形のソケット本体２をプラスチックで型成し、ソケット本体２の下面中央部に内孔を設け、該ソケット本体２の上面中央部にＬＥＤを保持する内孔を設けた円柱形のＬＥＤランプホルダー４を型成し、内孔の底面から内孔の底面に開口する貫通口６と内孔の底面からソケット本体２の上面に達する溝７を設け、溝７の延長線上のソケット本体の傾斜面上に欠切部８を設けたソケットに、ＬＥＤランプ１０のフレームｂ１０ｂを貫通口６より内孔外に挿通し、フレームａ１０ａを溝７を介して欠切部８上に位置付かせ、リベット９を内孔内にフレームｂ１０ｂを圧着させた状態で嵌入させたＬＥＤランプ付きソケット。【選択図】図４
0003140894.tif 000002
【実用新案登録請求の範囲】
【請求項１】
前部が略円錐台形に型成されたペンライトに於いて、該前部が略円錐台形に型成されたペンライトの前部内周傾斜面の形状に合わせてプラスチックでソケット本体を略円錐台形に型成し、該円錐台形のソケット本体の下面中央部に電池の＋極に接触させる金属製のリベットを嵌入させる内孔Ａを設け、且つソケット本体の上面中央部に円柱形のＬＥＤランプホルダーを形成し、該ＬＥＤランプホルダーの円柱の上面中央部にＬＥＤランプのモールドの下端部を嵌入できる幅の内孔Ｂを設け、該内孔Ｂの底面の中心線上に内孔Ｂの底面から内孔Ａの底面に開口する貫通口と内孔Ｂの底面からソケット本体の上面間に溝をＬＥＤランプの二本のフレーム幅の間隔を隔てさせて等分に設け、該溝の延長線上のソケット本体の傾斜面上にＬＥＤランプのフレームの後半を位置付けさせる欠切部を設けたソケットを型成し、該ソケットの内孔Ｂ内にＬＥＤランプのモールドの下端部を嵌入させると同時に内孔Ｂの底面の貫通口よりＬＥＤランプのアノード側のフレームｂを内孔Ａ内に挿通し、且つ内孔Ｂの底面の溝を介してＬＥＤランプのカソード側のフレームａの後半部をソケット本体の欠切部面上に位置させ、且つ内孔Ａ内にＬＥＤランプのフレームｂを圧着させて電池の＋極と接触させる金属製のリベットを嵌入したＬＥＤランプ付きソケット。
【請求項２】
ペンライトの前部内周傾斜面の形状に合わせて略円錐台形に金属管を型成し、該略円錐台形の金属管の内周傾斜面の形状に合わせて請求項１と同様にＬＥＤランプ付きソケットを型成し、該ＬＥＤランプ付きソケットのソケット本体の欠切部と金属管の内面傾斜面間にＬＥＤランプのフレームａを圧着させてソケット本体に金属管を嵌合させたＬＥＤランプ付きソケット。
【考案の詳細な説明】
【技術分野】
【０００１】  本考案は略円錐台形に前部が形成されたペンライト用のＬＥＤランプ付きソケットに関するものである。
【背景技術】
【０００２】  ＬＥＤランプを基盤等にハンダ付けした光源部を有するペンライト、ＬＥＤランプの電球形等が見られる。
【考案の開示】
【考案が解決しょうとする課題】
【０００３】  ＬＥＤランプ付きソケットを組み立て方式にして、素人でも簡単にＬＥＤランプ付きソケットを組み立てられる様にすること。
【０００４】  ＬＥＤランプのモールド部「ガラス体」をペンライト本体外部に設け、他に応用の効く、ネック部の長いペンライトを提供すること。
【課題を解決するための手段】
【０００５】  本考案の請求項１のＬＥＤランプ付きソケットは、前部が略円錐台形に型成されたペンライトの前部内周傾斜面の形状に合わせてプラスチックでソケット本体を略円錐台形に型成し、該円錐台形のソケット本体の下面中央部に電池の＋極に接触させる金属製のリベットを嵌入させる内孔Ａを設け、前期ソケット本体の上面中央部に円柱形のＬＥＤランプホルダーを形成し、該ＬＥＤランプホルダーの円柱の上面中央部にＬＥＤランプのモールドの下端部を嵌入できる幅の内孔Ｂを設け、該内孔Ｂの底面の中心線上に内孔Ｂの底面から内孔Ａの底面に開口するＬＥＤランプのフレームより若千太めの貫通口と内孔Ｂの底面から前期ソケット本体の上面間にＬＥＤランプのフレームより若千幅広の溝をＬＥＤランプの二本のフレーム幅の間隔で等分に設け、該溝の延長線上のソケット本体の傾斜面上にＬＥＤランプのフレームの後半を位置付けさせる欠切部を設けたソケットを型成し、該ソケットの内孔Ｂ内にＬＥＤランプのモールドの下端部を嵌入させると同時に、内孔Ｂの底面の貫通口よりＬＥＤランプのアノード側のフレームｂを内孔Ａ内に挿通し、且つ内孔Ｂの底面の溝を介してＬＥＤランプのカソード側のフレームａの後半部をソケット本体の欠切部面上に位置させ、内孔Ａ内にＬＥＤランプのフレームｂを圧着した状態で前期電池の＋極と接触させるリベットを嵌入したＬＥＤランプ付きソケット。
【０００６】  本考案の請求項１のＬＥＤランプ付きソケットは、カソード側のフレームａを直接ぺンライト本体の内面に接触させて導電させていたが、請求項２は金属管を介して間接的に導電させる。即ち、ペンライトの前部内周傾斜面の形状に合わせて略円錐台形に金属管を型成し、該金属管の内周傾斜面に合わせて請求項１の様にＬＥＤランプ付きソケットを型成し、該ＬＥＤランプ付きソケットのソケット本体に金属管を嵌合させ、該金属管の傾斜面とペンライトの前部傾斜面を接触させて導電させるので、ＬＥＤランプの安定性が増加する。
【考案の効果】
【０００７】  上述の様に、本考案のＬＥＤランプ付きソケットは、簡単な組み立て方式にしたので、ハンダ付け等の技術がいらず、素人の内職でＬＥＤランプ付きソケットの組み立てが可能である。
【０００８】  ソケットのＬＥＤランプホルダーの円柱を長くすることで、ＬＥＤランプのモールド部をペンライト本体の外部に設けられるので、ネック部の長いぺンライトが可能になり、他に応用ができる。
【考案を実施するための最良の形態】
【０００９】  図１に於いて、ペンライト本体１の前部内周傾斜面１ａの形状に合わせて、略円錐台形のソケット本体２をプラスチックで型成し、図２に於いて、ソケット本体２の下面中央部に電池の＋極と接触させるリベットを嵌入するリベット形の内孔Ａ３を設け、該ソケット本体２の上面中央部にＬＥＤを保持する内孔Ｂ５（ＬＥＤランプのモールド部の下端部を嵌入させてＬＥＤランプを安定化させる為のもので、内孔Ｂの内径はＬＥＤランプのモールド部「ガラス体」の最大径より若千大きめ）を設けた円柱形のＬＥＤランプホルダー４（ペンライトの先端開口部の口径の太さ）を型成し、内孔Ｂ５の底面の中心線上にＬＥＤランプの二本のフレーム「リード線」の間隔を隔てさせて内孔Ｂ５の底面から内孔Ａ３の底面に開口するフレーム厚より若千太めの貫通口６と内孔Ｂ５の底面からソケット本体２の上面に達するフレーム厚より若千幅広の溝７を等分に設け（溝７前部の内孔壁は切断しない。）、溝７の延長線上のソケット本体の傾斜面上に欠切部８（欠切部「斜線の部分」はフレーム厚にする。欠切部を設けない場合、フレーム厚によって、そのソケット部分の上下のバランスが崩れる。）を設けたソケットであって、図３に於いて、ＬＥＤランプ１０のアノード側のフレームｂ１０ｂを貫通口６より内孔Ａ３外に挿通し、カソード側のフレームａ１０ａを溝７を介して欠切部８上に位置付かせ、リベット９を内孔Ａ３内にフレームｂ１０ｂを圧着させた状態で嵌入させたＬＥＤランプ付きソケット。【００１０】  図４はＬＥＤランプ付きソケットをペンライト本体１にセットした状態を示した図で、ペンライト本体１の前部内周傾斜面１ａと欠切部８間でＬＥＤランプ１０のフレームａ１０ａを圧着させる事により導電させる。【００１１】  図５、６はソケット本体に金属管を嵌合させたＬＥＤ付きソケットで、図５に於いて、ペンライトの前部内周傾斜面の形状に合わせて金属製の金属管１１を型成し、金属管１１の内周傾斜面１１ａの形状に合わせた形のソケット本体２Ａをベースに前期ＬＥＤ付きソケットを型成し、図６に於いて、金属管１１の内面傾斜面１１ａとソケット本体の欠切部８ａの間にフレームａ１０ａを圧着させて金属管１１をソケット本体２Ａに嵌合させたＬＥＤランプ付きソケット。
【実施例】
【００１２】  以下、添付図面に従って実施例を説明する。実施例１．図１に於いて、ペンライト本体１の前部内周傾斜面１ａの形状に合わせてプラスチックで略円錐台形にソケット本体２を型成し、図２に於いて、ソケット本体２の下面中央部に内孔Ａ３を設け、ソケット本体２の上面中央部に円柱形のＬＥＤランプホルダー４を設け、ＬＥＤランプホルダー４の上面中央部に内孔Ｂ５を設け、内孔Ｂ５の底面の中心線上にＬＥＤランプのフレームの幅を隔てさせて内孔Ｂ５から内孔Ａ３の底面に開口する貫通口６と内孔Ｂ５の底面からソケット本体２の上面に達する溝７を設け、その溝７の延長線上のソケット本体２の傾斜面上に欠切部８を設けたソケット。【００１３】  図３に於いて、ソケットのＬＥＤランプホルダー４の内孔Ｂ５内にＬＥＤランプ１０のモールド１０ｃの下端部を嵌入させると同時にＬＥＤランプ１０のアノード側のフレームｂ１０ｂを貫通口６より内孔Ａ３内に挿通し、且つ内孔Ｂ５の底面からソケット本体２の上面間に設けた溝７を介してカソード側のフレームａ１０ａをソケット本体２の欠切部８面上に位置させ、内孔Ａ３内にＬＥＤランプ１０のフレームｂ１０ｂを圧着した状態でリベット９を嵌入したＬＥＤランプ付きソケット。【００１４】  図４に於いて、図４はＬＥＤランプ付きソケットをペンライト本体１にセットした図で、ペンライト本体１の前部内周傾斜面１ａと欠切部８間でＬＥＤランプ１０のフレームａ１０ａを圧着させる事で導電させる。【００１５】  実施例２．図５に於いて、ペンライトの前部内周傾斜面の形状に合わせて略円錐台形に金属管１１を型成し、金属管１１の内周傾斜面１１ａの形状に合わせてプラスチックで請求項１と同様のソケットを型成し、図６に於いて、ＬＥＤランプ１０をソケットにセットし、ＬＥＤランプのフレームａ１０ａをソケット本体２Ａの欠切部８ａと金属管１１の内面傾斜面１１ａ間に圧着させてソケット本体２Ａの後部に金属管１１を嵌合させたＬＥＤランプ付きソケット。
【図面の簡単な説明】
【００１７】
【図１】ペンライト本体に対するソケット部の形成過程を示した断面図。
【図２】実施例１のソケット部の断面図。
【図３】実施例１の本考案のＬＥＤランプ付きソケットの断面図。
【図４】ＬＥＤランプ付きソケットをペンライト本体にセットした断面図。
【図５】実施例２のソケット部の断面図。
【図６】実施例２の本考案のＬＥＤランプ付きソケットの断面図。
【符号の説明】
【００１８】１        ペンライト本体
１ａ      内周傾斜面
２、２Ａ  ソケット本体
３        内孔Ａ
４        ＬＥＤランプホルダー
５        内孔Ｂ
６        貫通口
７        溝
８、８ａ  欠切部
９        リベット
１０      ＬＥＤランプ
１０ａ    フレームａ
１０ｂ    フレームｂ
１０ｃ    モールド
１１      金属管
１１ａ    内面傾斜面
【図１】
0003140894.tif 000003
【図２】
0003140894.tif 000004
【図３】
0003140894.tif 000005
【図４】
0003140894.tif 000006
【図５】
0003140894.tif 000007
【図６】
0003140894.tif 000008